(57)【要約】【課題】複数の分析業務を同時に実施する分析システムで、個々の分析に要した作業時間を把握し、作業実績の管理を容易にする。【解決手段】複数の分析作業場所で複数の分析作業を並行して行なう場合に、作業時間実績収集装置１は作業項目毎の作業時間の実績を収集する。作業内容解析処理部２１は、分析作業場所に対応して設置されるデータ収集装置２を識別する作業場所情報と、分析作業を実施する作業者を識別する作業者識別情報と、分析作業に用いる検体を識別する検体識別情報を取り込み、検体情報ＤＢ及び作業場所情報ＤＢを検索して、受信データと同一の分析作業項目を解析する。作業時間集計処理部２２は分析作業項目ごとの作業時間を集計する。【選択図】図１
2006079239.tif 000002
【特許請求の範囲】
【請求項１】
分析作業場所ごとのデータ収集装置を介して受信データを入力し、複数の分析作業の作業時間を収集する分析作業時間収集方法において、
前記受信データが、前記データ収集装置を識別する作業場所情報のみの場合は作業者が分析作業を終了したと判定し、前記作業場所情報と分析作業を実施する作業者を識別する作業者情報の場合は作業者が分析作業を開始したと判定し、
前記受信データが、前記作業場所情報、前記作業者情報及び分析作業に用いる検体を識別する検体情報を含む場合は、
予め記憶されている、作業場所と分析作業項目が対応付けられている作業場所情報ＤＢ及び検体名と分析作業項目が対応付けられている検体情報ＤＢから、前記受信データの作業場所情報、検体情報と一致する作業場所情報及び検体情報の分析作業項目をそれぞれ検索し、さらに両者の分析作業項目の中から共通する分析作業項目を抽出し、
当該分析作業における前記抽出された分析作業項目、当該検体情報、当該作業者情報、及び前記分析作業の終了と開始の判定時刻に基づいて作業時間を収集することを特徴とする分析作業時間収集方法。
【請求項２】
請求項１において、前記抽出された分析作業項目が複数ある場合に、分析作業項目ごとの作業負荷係数を参照し、検体ごと、分析作業項目ごとの作業時間を演算することを特徴とする分析作業時間収集方法。
【請求項３】
複数の分析作業場所で複数の分析作業を行なう作業時間の実績を収集する分析作業時間収集システムにおいて、
複数の分析作業場所で複数の分析作業を行なう作業者の作業時間の実績を、作業項目毎に収集する分析作業実績時間収集装置と、任意の分析作業場所に対応して設置されるデータ収集装置を備え、
前記データ収集装置から前記分析作業実績時間収集装置に、前記データ収集装置を識別する作業場所情報と、分析作業を実施する作業者を識別する作業者情報と、分析作業に用いる検体を識別する検体情報の各データを伝送する通信機能を備えることを特徴とする分析作業時間収集システム。
【請求項４】
請求項３において、前記分析作業実績時間収集装置と前記データ収集装置を有線もしくは無線のネットワークで結ぶことを特徴とする分析作業時間収集システム。
【請求項５】
請求項３において、前記分析作業実績時間収集装置は、
前記データを受信するデータ受信処理部を有する通信装置と、
前記作業場所情報から分析作業項目を読み取る作業内容解析処理部及び作業内容毎の作業時間を集計する作業時間集計処理部とを有する処理装置と、
分析作業に用いる検体に関する情報、分析作業を実施する作業者の情報、分析作業における作業項目に関する情報及び分析作業を実施する分析作業場所の情報を予め記憶し、かつ分析作業の作業時間の実績に関する情報を記憶する記憶装置と、
を備えることを特徴とする分析作業時間収集システム。
【請求項６】
請求項３において、前記データ収集装置は、
分析作業場所に対応して設置されるデータ収集装置を識別する作業場所情報を記憶する記憶装置と、
前記作業者情報を格納したＩＣカードより作業者情報を読み取るＩＣカード読取処理部と、分析作業に用いる検体を識別する検体番号が示されたバーコードより検体情報を読み取るバーコード読取処理部を有するデータ読取装置と、
前記作業場所情報と前記作業者情報及び前記検体情報を取り込むデータ取り込処理部を有する処理装置と、前記データ取り込処理部にて取り込まれたデータを送信するデータ送信処理部を有する通信装置と、
を備えることを特徴とする分析作業時間収集システム。
【請求項７】
請求項５において、
予め前記記憶装置に作業者ごとの作業時間単価情報を記憶し、前記作業時間集計処理部より得られる作業者ごとの作業時間の実績情報と当該作業者の作業時間単価情報を入力して、作業者ごとの作業原価を計算する原価計算処理部を備えることを特徴とする分析作業時間収集システム。
【発明の詳細な説明】
【技術分野】
【０００１】
本発明は、環境測定の業務における分析作業（例えば、水質分析、大気分析、土壌分析など）の分析作業時間を把握する分析作業実績時間収集方法及び装置に関する。
【背景技術】
【０００２】
水質分析などを実施する環境測定の業務では、複数の検体に関する分析作業をまとめて作業することにより業務効率の向上を図っている。各検体に関する分析作業時間を入力する際には、例えば１０個の検体をまとめて作業した際に要した時間を検体数１０で割ることにより、各検体に関する作業実績時間としていた。
【０００３】
また、特許文献１に開示されているように、分析システムにネットワークを介して情報端末を接続し、分析システムの精度、費用、在庫、運用などの管理を行なう提案もある。情報端末は分析装置の分析項目毎のテスト数とデータや稼働時間等を受信し、分析項目毎に集計して運用効率を最大に保つようにしている。
【０００４】
【特許文献１】特開２００３−２７９５８３公報
【発明の開示】
【発明が解決しようとする課題】
【０００５】
従来の技術では、環境測定の業務における分析作業は１検体に対し複数の分析作業を同時並行に進めることが多く、複数並行に進められる分析作業において作業者ごと、作業項目ごとの作業実績時間の把握が困難であった。
【０００６】
また、分析作業はその内容により作業時間が異なるため、分析作業の内容が異なる検体に関し作業を行なう場合には、上述のように単純に検体数で割った作業実績時間ではその精度に問題があった。
【０００７】
本発明の目的は、上述した従来技術の問題点に鑑み、複数の検体を同時に分析作業を行なう作業時間の実績を自動で収集する分析作業時間収集方法及びシステムを提供することにある。
【課題を解決するための手段】
【０００８】
上記課題を解決するための本発明は、各分析作業場所のデータ収集装置を介して受信データを入力し、複数の分析作業の作業時間を収集する分析作業時間収集方法において、前記受信データが、前記データ収集装置を識別する作業場所情報のみの場合は作業者が分析作業を終了したと判定し、前記作業場所情報と分析作業を実施する作業者を識別する作業者情報の場合は作業者が分析作業を開始したと判定し、
前記受信データが、前記作業場所情報、前記作業者情報及び分析作業に用いる検体を識別する検体情報を含む場合は、予め記憶されている、作業場所と分析作業項目が対応付けられている作業場所情報ＤＢ及び検体名と分析作業項目が対応付けられている検体情報ＤＢから、前記受信データの作業場所情報、検体情報と一致する作業場所情報及び検体情報の分析作業項目をそれぞれ検索し、さらに両者の分析作業項目の中から共通する分析作業項目を抽出し、
当該分析作業における前記抽出された分析作業項目、当該検体情報、当該作業者情報、及び前記分析作業の終了と開始の判定時刻に基づいて作業時間を収集することを特徴とする。
【０００９】
本発明の分析作業時間収集システムは、複数の分析作業場所で複数の分析作業を行なう作業者の作業時間の実績を、作業項目毎に収集する分析作業実績時間収集装置と、任意の分析作業場所に対応して設置されるデータ収集装置を備え、
前記データ収集装置から前記分析作業実績時間収集装置に、前記データ収集装置を識別する作業場所情報と、分析作業を実施する作業者を識別する作業者情報と、分析作業に用いる検体を識別する検体情報の各データを伝送する通信機能を備えることを特徴とする。
【００１０】
また、前記分析作業実績時間収集装置は、前記データを受信するデータ受信処理部を有する通信装置と、前記作業場所情報から分析作業項目を読み取る作業内容解析処理部及び作業内容毎の作業時間を集計する作業時間集計処理部とを有する処理装置と、分析作業に用いる検体に関する情報、分析作業を実施する作業者の情報、分析作業における作業項目に関する情報及び分析作業を実施する分析作業場所の情報を予め記憶し、かつ分析作業の作業時間の実績に関する情報を記憶する記憶装置と、を備えることを特徴とする。
【００１１】
また、前記データ収集装置は、分析作業場所に対応して設置されるデータ収集装置を識別する作業場所情報を記憶する記憶装置と、前記作業者情報を格納したＩＣカードより作業者情報を読み取るＩＣカード読取処理部及び分析作業に用いる検体を識別する検体番号が示されたバーコードより検体情報を読み取るバーコード読取処理部を有するデータ読取装置と、前記作業場所情報と前記作業者情報及び前記検体情報を取り込むデータ取り込処理部を有する処理装置と、前記データ取り込処理部にて取り込まれたデータを送信するデータ送信処理部を有する通信装置と、を備えることを特徴とする。
【００１２】
更に、前記分析作業実績時間収集装置の記憶装置に予め作業者ごとの作業時間単価情報を記憶し、前記作業時間集計処理部にて得られる作業者単位の作業時間の実績情報と当該作業者の作業時間単価情報を入力して作業者ごとの作業原価を計算する原価計算処理部を備えることを特徴とする。
【発明の効果】
【００１３】
本発明によれば、複数の分析業務を同時に実施する場合においても、検体ごとの作業実績時間の把握が可能となるので、作業実績時間の管理の向上に寄与できる効果がある。かつ、作業実績の入力を行なう手間が省かれる。また、管理者にとっては、作業実績の原価管理が容易になるので、密度の高い見積作成が可能となる。
【発明を実施するための最良の形態】
【００１４】
以下、本発明の最良の実施形態について図１〜図１４を参照して説明する。
【００１５】
図１は、本実施形態の分析作業時間収集システムの構成を示す。本分析作業時間収集システムは作業実績時間収集装置１と複数のデータ収集装置２からなる。
【００１６】
作業実績時間収集装置１は特徴部分として、通信装置３０におけるデータ受信処理部３１と、処理装置２０における作業内容解析処理部２１と、作業時間集計処理部２２を有している。記憶装置１０は検体情報ＤＢ１１、作業者情報ＤＢ１２、作業項目情報ＤＢ１３、作業場所情報ＤＢ１４及び作業時間情報ＤＢ１５を有している。
【００１７】
データ受信処理部３１は通信装置３０で受信した分析作業場所を示す作業場所ＩＤと、当該分析作業場所において分析作業を実施する作業者を示す作業者ＩＤと、分析作業に用いる検体を示す検体ＩＤを各分析作業場所のデータ収集装置２から受信する。作業内容解析処理部２１はデータ受信処理部３１で受信した作業者ＩＤ、作業場所ＩＤ及び検体ＩＤと、記憶装置１０に記憶してある各種情報ＤＢとを比較し、検体毎の分析作業項目を解析する。作業時間集計処理部２２は作業内容解析処理部２１で解析した分析作業項目毎に、作業者毎の検体に要した作業時間を集計する。
【００１８】
作業実績時間収集装置１をデータ受信処理部３１、作業内容解析処理部２１及び作業時間集計処理部２２として機能させる為のプログラムは、ＣＤ−ＲＯＭ等の記録媒体に記録され磁気ディスク等に格納された後、メモリにロードされて処理装置２０で実行される。なお、プログラムを記録する媒体はＣＤ−ＲＯＭ以外の媒体でも良い。
【００１９】
図２はデータ収集装置の概略構成を示す。データ収集装置２は分析作業の作業場所ごとに設置されており、記憶装置５０、通信装置６０、処理装置７０及びデータ読取装置８０を有している。
【００２０】
記憶装置５０は、分析作業場所を示す作業場所情報５１を有しており、当該作業場所情報には分析作業場所毎に個別の作業場所ＩＤ５２を記憶する。
通信装置６０は、データ送信処理部６１を有しており、データ読取装置８０にて読み込まれた作業者ＩＤ及び検体ＩＤとデータ取り込処理部７１で取り込まれた作業場所ＩＤを、作業実績時間収集装置１へ送信する。
【００２１】
処理装置７０は、データ取り込処理部７１を有しており、データ読取装置８０より作業者ＩＤや検体ＩＤが読み込まれた際に、記憶装置５０より分析作業場所を示す作業場所ＩＤ５２を取り込む処理を実施する。
データ読取装置８０はＩＣカード読取処理部８１とバーコード読取処理部８２を有している。ＩＣカード読取処理部８１は、分析作業者を示す作業者ＩＤが記憶されているＩＣカードより、当該作業者ＩＤを読み込む処理を行なう。バーコード読取処理部８２は、分析作業に用いる検体を示す検体ＩＤが打ち込まれたバーコードより、当該検体ＩＤを読み込む処理を行なう。バーコード読取装置８２は、ＩＣカード読取装置、無線タグ装置などの読取装置によっても良い。
【００２２】
図３は検体情報ＤＢの概略構成を示す。検体情報ＤＢ１１は、分析作業に用いる個々の検体と分析作業項目を表したＤＢである。分析作業に用いる検体を示す検体ＩＤを格納する検体ＩＤ欄１１１と、検体を採取した場所を示す検体名を格納する検体名欄１１２と、当該検体がどのような分析作業項目を実施するかの分析作業項目を格納する分析作業項目欄１１３を有している。
【００２３】
図４は作業者情報ＤＢの概略構成を示す。作業者情報ＤＢ１２は、分析作業を実施する作業者を表したＤＢであり、分析作業を実施する作業者を示す作業者の作業者ＩＤを格納する作業者ＩＤ欄１２１と、当該作業者ＩＤの作業者名を格納する作業者名欄１２２を有している。
【００２４】
図５は作業項目情報ＤＢの概略構成を示す。作業項目情報ＤＢ１３は、分析作業項目における個々の作業における重み付けをした負荷係数を表したＤＢである。分析作業項目を格納する分析作業項目欄１３１と、分析作業項目における分析作業毎の重み付けを示す負荷係数を格納する作業負荷係数欄１３２を有している。作業負荷係数は、分析作業に掛かる時間が分析作業項目毎に異なる事に対応し、分析作業項目ごとに重み付けをすることにより、各分析作業時間をより正確に推定するための値である。
【００２５】
図６は作業場所情報ＤＢの概略構成を示す。作業場所情報ＤＢ１４は、分析作業場所において実施可能な分析作業項目を表したＤＢである。分析作業場所を示す作業場所ＩＤを格納する作業場所ＩＤ欄１４１と、当該作業場所ＩＤに対応する作業場所名を示す作業場所を格納する作業場所欄１４２と、分析作業場所にて実施可能な分析作業項目を示す分析作業項目を格納する分析作業項目欄１４３を有している。
【００２６】
図７は作業時間情報ＤＢの構成を示す。作業時間情報ＤＢ１５は、作業時間集計処理において算出した作業時間の実績を格納するＤＢである。分析作業に用いた検体を示す検体ＩＤを格納する検体ＩＤ欄１５１と、当該分析作業の内容を示す作業項目を格納する分析作業項目欄１５２と、当該分析作業を実施した作業者を示す作業者ＩＤを格納する作業者ＩＤ欄１５３と、当該分析作業において分析作業に要した作業時間を格納する作業時間欄１５４を有している。
【００２７】
次に、分析作業における作業者ＩＤの読み取りの方法について説明する。図８は、本実施形態のデータ収集装置２から作業実績時間収集装置１へ分析作業者を示す作業者ＩＤを送信するイメージを示している。
【００２８】
図４に示すように、分析作業を実施する作業者には作業者ＩＤが与えられており、当該作業者ＩＤはＩＣカード７に記憶されている。作業を実施する作業者はＩＣカード７を携帯し、分析作業を始める際に分析作業場所毎に設置されているデータ収集装置２のＩＣカード読取装置６へＩＣカード７を装着する。データ収集装置２は、ＩＣカード７が装着されるとＩＣカード７の作業者ＩＤを読み取り、作業場所毎にデータ収集装置２に割り振られている作業場所を示す作業場所ＩＤと共に、通信回線５を介して作業実績時間収集装置１へ伝送される。
【００２９】
一方、分析作業を終了する際に、作業者は分析作業場所毎に設置されているデータ収集装置２のＩＣカード読取装置６より装着済みのＩＣカード７を抜き出す。ＩＣカード７が抜き出された際に、データ収集装置２は作業場所毎に割り振られている作業場所を示す作業場所ＩＤを通信回線５を介して作業実績時間収集装置１へ伝送する。
【００３０】
次に、分析作業における検体ＩＤの読み取りの流れについて説明する。図９は、本実施形態のデータ収集装置２から作業実績時間収集装置１へ分析作業に用いる検体を示す検体ＩＤを送信するイメージを示す。
【００３１】
図３に示すように、分析作業に用いる検体には個別に検体ＩＤが与えられており、当該検体ＩＤはバーコード９として印刷され、検体１つ１つに装着されている。分析作業を始める際に、作業者は分析作業場所毎に設置されているデータ収集装置２のバーコード読取装置８により検体からバーコード９を読み取る。バーコード情報が読み取られると、データ収集装置２はバーコード化された検体ＩＤを、作業場所毎に割り振られている作業場所を示す作業場所ＩＤと共に、通信回線５を介して作業実績時間収集装置１へ伝送する。なお、検体ＩＤはバーコードによらず、他の記号等によっても良い。
【００３２】
通信回線５を介して作業実績時間収集装置１にて受信されたデータは、処理装置２０の作業内容解析処理部２１にて処理される。ここで、作業実績時間収集装置１にて受信したデータは作業場所ＩＤ、検体ＩＤ、作業者ＩＤである。
【００３３】
次に、作業実績時間収集装置内における作業内容解析処理の流れを説明する。図１０は作業内容解析処理部における中間情報ＤＢを示し、作業内容解析における各種ＩＤや作業者の分析作業時刻を格納しておくための内部処理用の中間情報ＤＢ１６である。
【００３４】
中間情報ＤＢは、作業者ＩＤを格納する作業者ＩＤ欄１６１と、作業場所ＩＤを格納する作業場所ＩＤ欄１６２と、作業者が分析作業を開始した時刻を格納する作業開始時刻欄１６３と、終了した時刻を格納する作業終了時刻欄１６４と、検体ＩＤを格納する検体ＩＤ欄１６５を有している。
【００３５】
図１１は、本実施形態の作業内容解析処理部の処理手順を示すフローチャートである。まず、作業内容解析処理部２１は通信装置３０がデータ収集装置２より受信したデータを解読し(ステップ２００)、解読したデータ内容が作業場所ＩＤのみかをチェックする（ステップ２１０）。収集装置２より受信したデータが作業場所ＩＤのみの場合は、作業者が分析作業を終了したことを示しているので、作業内容解析処理を終了する（ステップ２２０）。
【００３６】
解読したデータが作業場所ＩＤのみでない場合は、データに検体ＩＤが含まれるかどうかをチェックする（ステップ２３０）。受信データに検体ＩＤが含まれていない場合は、中間情報ＤＢ１６の作業者ＩＤ欄１６１、作業場所ＩＤ欄１６２に書き込む（ステップ２６０）。
【００３７】
このとき、作業時間実績収集装置１の時刻（たとえば、処理装置２０のクロック）を作業者の分析作業開始時刻として、中間情報ＤＢ１６の作業開始時刻欄１６３に書き込み（ステップ２７０）、作業内容解析処理部を終了する。
【００３８】
ステップ２３０で、データに検体ＩＤが含まれる場合は、中間情報ＤＢ１６の作業場所ＩＤ欄１６２より受信データの作業場所ＩＤと一致するデータを検索する（ステップ２４０）。そして、作業場所ＩＤが一致した中間情報ＤＢ１６の検体ＩＤ欄１６５へ、受信データの検体ＩＤを書き込む（ステップ２５０）。
【００３９】
次に、作業場所情報ＤＢ１４を読み込み（ステップ２８０）、受信データの作業場所ＩＤと同一の作業場所ＩＤを検索し（ステップ２９０）、同一の作業場所ＩＤ欄１４１における分析作業項目欄１４３より分析作業項目を抽出する（ステップ３００）。
【００４０】
次に、検体情報ＤＢ１１を読み込み（ステップ３１０）、受信データの検体ＩＤと同一の検体ＩＤを検索し（ステップ３２０）、同一の検体ＩＤ欄１１１における分析作業項目欄１１３より分析作業項目を抽出する（ステップ３３０）。
【００４１】
次に、ステップ３００とステップ３３０の分析作業項目を比較し、当該作業場所における同一検体の作業項目として共通する分析作業項目を抽出する（ステップ３４０）。最後に、抽出結果の作業項目と検体ＩＤを作業時間情報ＤＢにセットする（ステップ３５０）。
【００４２】
次に、作業実績時間収集装置１における作業時間集計処理部２２の処理を説明する。図１２は本実施形態における作業時間集計処理部の処理手順を示すフローチャートである。
【００４３】
まず、分析作業の作業者が作業終了したかどうかを判定するため、通信装置３０がデータ収集装置２より受信したデータをチェックする（ステップ４００）。受信したデータが作業場所ＩＤと検体ＩＤであれば分析作業は継続中である。このため、作業時間集計処理は実施せず、中間情報ＤＢ１６の検体ＩＤ欄１６４へ検体ＩＤを書き込む処理を繰り返す。一方、通信装置３０がデータ収集装置２より受信したデータが作業場所ＩＤのみの場合は、作業集計処理を実施する。
【００４４】
作業時間集計処理では中間情報ＤＢ１６を読み込み、その作業場所ＩＤ欄１６２より、直近に受信した作業場所ＩＤが一致するデータを検索する（ステップ４０５）。
【００４５】
次に、作業実績時間収集装置１の時刻を読み込み(ステップ４１０)、この読み込んだ時刻を作業終了時間（Ｔe）とし、作業場所ＩＤが一致するデータにおける中間情報ＤＢ１６の作業終了時刻欄１６４に記憶する。そして、中間情報ＤＢ１６の作業開始時刻欄１６３に記憶されている作業開始時刻（Ｔs）と中間情報ＤＢ１６の作業終了時刻欄１６４に記憶されている作業終了時間（Ｔe）より、作業場所における作業者の総作業時間（Ｔe−Ｔs）を算出する(ステップ４２０)。
【００４６】
次に、予め記憶してある作業項目情報ＤＢ１３を読み込み（ステップ４３０）、作業時間の実績を算出する（ステップ４４０）。ここで、作業場所における検体ＩＤをｉとし、作業場所における分析作業項目をｊとした場合、個々の検体における作業実績時間（Ｔij）は式（１）にて算出する。
【００４７】
【数１】
2006079239.tif 000003
【００４８】
このとき、作業負荷係数(Ｓij)は分析作業項目に対する作業項目情報ＤＢ１３より読み込みを行なう。
【００４９】
次に、検体毎の作業項目に対する作業実績時間を作業時間情報ＤＢ１５にセットする（ステップ４５０）。以上の処理により作業時間の実績収集が可能となる。
【００５０】
図１３は、本実施形態より原価管理を行なうシステムの概略構成を示す。図１のシステム構成に作業者単価情報ＤＢ１５と原価計算処理部２３を追加した構成である。
【００５１】
図１４は作業者単価情報ＤＢの構成を示す。作業者単価情報ＤＢ１７は、分析作業者の作業時間単価を表したＤＢであり、分析作業者を示す作業者ＩＤを格納する作業者ＩＤ欄１７１と、当該作業者ＩＤの作業者名を格納する作業者名欄１７２と、作業者に対応する作業時間単価を格納する作業時間単価欄１７３を有している。
【００５２】
図１３における原価計算処理部２３においては、作業内容解析処理部２１にて算出した作業者ごとの作業実績時間と、作業者単価情報１７の作業時間単価情報より、作業者ごとの作業原価を計算する。
【図面の簡単な説明】
【００５３】
【図１】一実施例による分析作業実績時間収集システムの構成を示すブロック図。
【図２】一実施例によるデータ収集装置の構成を示すブロック図。
【図３】検体情報ＤＢの構成図。
【図４】作業者情報ＤＢの構成図。
【図５】作業項目情報ＤＢの構成図。
【図６】作業場所情報ＤＢの構成図。
【図７】作業時間情報ＤＢの構成図。
【図８】作業者ＩＤを送信するイメージ図。
【図９】検体ＩＤを送信するイメージ図。
【図１０】作業内容解析処理部の内部処理による中間情報ＤＢの構成図。
【図１１】作業内容解析処理部の処理手順を示すフローチャート。
【図１２】作業内容集計処理部の処理手順を示すフローチャート。
【図１３】一実施例による原価管理を行なうシステムの構成を示すブロック図。
【図１４】作業者単価情報ＤＢの構成図。
【符号の説明】
【００５４】
１…作業時間実績収集装置、２…データ収集装置、５…通信回線、６…ＩＣカード読取装置、７…ＩＣカード、８…バーコード読取装置、９…バーコード、１０…記憶装置、１１…検体情報ＤＢ、１２…作業者情報ＤＢ、１３…作業項目情報ＤＢ、１４…作業場所情報ＤＢ、１５…作業時間情報ＤＢ、１６…中間情報ＤＢ、１７…作業者単価情報ＤＢ、２０…処理装置、２１…作業内容解析処理部、２２…作業時間集計処理部、２３…原価計算処理部、３０…通信装置、３１…データ受信処理部、５０…記憶装置、５１…作業場所情報、５２…作業場所ＩＤ、６０…通信装置、６１…データ送信処理部、７０…処理装置、７１…データ取り込処理部、８０…データ読取装置、８１…ICカード読取処理部、８２…バーコード読取処理部、１１１…検体ＩＤ欄、１１２…検体名欄、１１３…分析作業項目欄、１２１…作業者ＩＤ欄、１２２…作業者名欄、１３１…分析作業項目欄、１３２…作業負荷係数欄、１４１…作業場所ＩＤ欄、１４２…作業場所欄、１４３…分析作業項目欄、１５１…検体ＩＤ欄、１５２…分析作業項目欄、１５３…作業者ＩＤ欄、１５４…作業時間欄、１６１…作業者ＩＤ欄、１６２…作業場所ＩＤ欄、１６３…作業開始時刻欄、１６４…作業終了時刻欄、１６５…検体ＩＤ欄、１７１…作業者ＩＤ欄、１７２…作業者名欄、１７３…作業時間単価欄。
【図１】
2006079239.tif 000004
【図２】
2006079239.tif 000005
【図３】
2006079239.tif 000006
【図４】
2006079239.tif 000007
【図５】
2006079239.tif 000008
【図６】
2006079239.tif 000009
【図７】
2006079239.tif 000010
【図８】
2006079239.tif 000011
【図９】
2006079239.tif 000012
【図１０】
2006079239.tif 000013
【図１１】
2006079239.tif 000014
【図１２】
2006079239.tif 000015
【図１３】
2006079239.tif 000016
【図１４】
2006079239.tif 000017